(57)【特許請求の範囲】
【請求項１】
底面に吸込開口を有する吸込室を形成した吸込口本体と、前記吸込室に回転自在に設けられた回転清掃体と、前記吸込口体に取り付けられたバンパとを備え、前記吸込口本体は下ケースとこの下ケースに取り付けられた上ケースとを有し、前記吸込口本体に設けられ且つ前後方向に延びた吸気孔から吸気される空気を受けて前記回転清掃体が回転する吸込口体において、
前記吸気孔を下ケースと前記バンパとで形成するとともに、その吸気孔の上側が前記バンパで形成されていることを特徴とする吸込口体。
【請求項２】
前記吸気孔は吸込口体の前側に形成され、
前記吸気孔の上側のバンパを前方に突出させたことを特徴とする請求項１の吸込口体。
【請求項３】
請求項１または請求項２に記載の吸込口体を備えたことを特徴とする電気掃除機。
【発明の詳細な説明】
【０００１】
【発明の属する技術分野】
この発明は、吸込室に回転自在に設けられた回転清掃体を備えた吸込口体と、この吸込口体を備えた電気掃除機に関する。
【０００２】
【従来の技術】
従来から、図９および図１０に示すように、下面に吸込開口１を形成した吸込室２に回転自在に回転清掃体３を設け、この回転清掃体３を回転させる吸気孔４を上ケース５に設けた吸込口体６が知られている。
【０００３】
かかる吸込口体６は、図示しない掃除機本体の駆動により吸込室２が負圧になると、吸込開口１から塵埃が吸引されていくとともに空気導入孔４から空気が導入され、この空気が回転清掃体３に向けて吹き付けていく。これにより回転清掃体３が回転して床面の塵埃を掻き上げていく。
【０００４】
【発明が解決しようとする課題】
ところで、吸気孔４は上ケース５に設けられていることにより吸気孔４の前後方向の長さがケース５の肉厚と等しく、その長さが短いものとなっている。このため、吸気孔４から回転清掃体３に向けて吹き付ける空気流は十分に整流することができず、その向きも十分に方向付けすることもできなかった。このため、回転清掃体３の回転効率が悪いという問題があった。
【０００５】
この問題を解消するために、吸気孔４部分を膨出させて吸気孔４の長さを十分にとればよいが、吸気孔４を設けるのに成形金型にスライド構成を設けなければならないため、その金型構造が複雑化してしまうという問題が発生する。
【０００６】
この発明は上記問題点に鑑みてなされもので、その目的は、成形金型を複雑にすることなく、吸気孔の長さを十分にとることのできる吸込口体と、この吸込口体を備えた電気掃除機を提供することにある。
【０００７】
【課題を解決するための手段】
上記問題点を解決するために、請求項１に記載の発明は、底面に吸込開口を有する吸込室を形成した吸込口本体と、前記吸込室に回転自在に設けられた回転清掃体と、前記吸込口体に取り付けられたバンパとを備え、前記吸込口本体は下ケースとこの下ケースに取り付けられた上ケースとを有し、前記吸込口本体に設けられ且つ前後方向に延びた吸気孔から吸気される空気を受けて前記回転清掃体が回転する吸込口体において、
前記吸気孔を下ケースと前記バンパとで形成するとともに、その吸気孔の上側が前記バンパで形成されていることを特徴とする。
【０００８】
請求項２の発明は、前記吸気孔は吸込口体の前側に形成され、
前記吸気孔の上側のバンパを前方に突出させたことを特徴とする。
【０００９】
請求項３の発明は、請求項１または請求項２に記載の吸込口体を備えたことを特徴とする電気掃除機。
【００１０】
【発明の実施の形態】
以下、この発明に係る吸込口体および電気掃除機の実施形態を図面に基づいて説明する。
【００１１】
図１において、１０は電気掃除機本体で、この本体１０内には集塵室１２とこの集塵室１２を負圧にする電動送風機１１とが設けられている。集塵室１２には集塵フィルタ１３が設けられている。
【００１２】
１５は一端が電気掃除機本体１０に着脱可能に接続されているホースで、このホース１５の他端には手元操作管１６が設けられ、手元操作管１６には把手部１７が設けられている。この把手部１７に手元操作部１７Ａが設けられており、手元操作部１７Ａには、電動送風機１１の電源を切るオフスイッチＳ1と、電動送風機１１のパワーを強・弱に設定する強弱スイッチＳ2と、電動送風機１１のパワーを自動設定する自動設定スイッチＳ3とが設けられている。
【００１３】
手元操作管１６には延長管１８が着脱可能に接続され、延長管１８の先端部には吸込口体２０が着脱可能に接続されている。
【００１４】
吸込口体２０は、図２ないし図５に示すように、吸込口本体２１と、延長管１８に着脱自在に接続されるとともにこの本体２１の後部に上下方向に回動可能に設けられた接続管２２とを備えている。吸込口本体２１内には底面に吸込開口２３を有する吸込室２５が形成され、この吸込室２５には回転清掃体２６が回転自在に設けられている。回転清掃体２６は複数のブレード２６Ａを有している。
【００１５】
吸込口本体２１は、下ケース３０と、この下ケース３０に取り付けられた上ケース４０と、吸込口本体２１の側部に位置する部分が下ケース３０と上ケース４０とで挟み込まれて挟持されたバンパ５０と、下ケース３０と上ケース４０とで挟み込まれた風路管６０と、この風路管６０の外周に回動自在に取り付けられた回転管７０と、この回転管７０に図示しないネジにより固定された断面がほぼＵ字形のカバー７１等とを有している。回転管７０の後部の上部には、接続管２２の下端の左側部（図７において）に設けた軸部２２Ａが枢支され、この軸部２２Ａを中心にして接続管２２は前後方向に回動可能となっている。
【００１６】
下ケース３０は、図６に示すように、底面３１に形成した吸込開口２３を有しており、この吸込開口２３の後ろには吸込開口２３に沿って隔壁３２が形成されている。そして、下ケース３０と隔壁３２と上ケース４０と上ケース４０に形成された隔壁(図示せず)とバンパ５０とによって吸込室２５が区画形成されている（図５参照）。上ケース４０の隔壁は下ケース３０の隔壁３２の上に当接されている。
【００１７】
下ケース３０の前端の両側には左右方向に延びた一対の傾斜面３３,３３が形成されており、この傾斜面３３,３３は前方に向けて下方に傾斜している。各傾斜面３３の前後方向の長さ、すなわち斜面の長さは下ケース３０の肉厚よりも長く設定されている。また、傾斜面３３と傾斜面３３との間には中空の筒状壁３５が設けられている。
【００１８】
バンパ５０は、吸込口本体２１の前側を保護する左右方向に延びた前ガード部５１と、この前ガード部５１の両端から後方に延びて吸込口本体２１の側部を保護する側ガード部５２,５２とを有している。前ガード部５１は、上ケース４０の前端に沿って左右方向に延び且つ前方に向けて下方に傾斜した帯状に形成されているとともに上ケースの一部を構成している。この前ガード部５１の前端５１Ａは下ケース４０の前端より前方に突出しており、前ガード部５１の下面５１Ｂは前方に向けて下方に傾斜している。
【００１９】
また、前ガード部５１の下面５１の中央部には脚部５３が形成され、この脚部５３は下ケース３０の筒状壁３５の上面に接合されている。また、前ガード部５１の下面５１の両側にも脚部５４,５４が形成され、この脚部５４,５４が下ケース３０の前壁部３０Ａの上面に接合されている。
【００２０】
前ガード部５１の下面５１Ｂの傾斜角は下ケース３０の傾斜面３３の傾斜角より小さく設定され、また、その下面５１Ｂの前後方向の長さは上ケース４０の肉厚より長く設定されている。そして、バンパ５０の前ガード部５１と下ケース３０の傾斜面３３,３３とによって吸気孔５５,５５が形成されている。すなわち、吸気孔５５,５５の上側がバンパ５０によって形成され、吸気口５５,５５の下側が下ケース３０によって形成され、上側が前方に突出している。
【００２１】
各吸気口５５は、前方に向けて下方に傾斜されるとともに前後方向の長さが下ケース３０や上ケース４０の肉厚よりも十分に長くなっている。さらに、吸気孔５５,５５の入口側の径より出口側の径が小さくなって絞られた状態となっている。また、この吸気孔５５,５５は回転清掃体２６の上側のブレード２６Ａに向けられている。
【００２２】
風路管６０は、吸込室２５に臨むとともに左右方向にラッパ状に広がった案内部６１とこの案内部６１の後部に断面が円形の管路部６２とを有している。この管路部６２の外周に回転管７０の先端部７０Ａが回動自在に嵌合されている。そして、風路管６０と回転管７０およびカバー７１を介して吸込室２５と接続管２２とが連通している。また、回転管７０に取り付けたカバー７１と接続管２２との間にはシャッタ７５が介在され、このシャッタ７５は、図７に示すように、接続管２２を起立させた際にカバー７１の後端と接続管２２の先端との間に形成される隙間を塞ぐようになっている。
【００２３】
また、接続管２２は真っ直ぐに形成され、この接続管２２を図８に示すように転倒させた際にはシャッタ７５がカバー７１内に入り込むとともに接続管２２の端部が回転管７０の風路を閉塞しないようになっている。
【００２４】
次に、上記のように構成される吸込口体および電気掃除機の動作について説明する。
【００２５】
手元操作部１７Ａの強弱スイッチＳ2または自動スイッチＳ3を操作すると、電動送風機１１が駆動されて集塵室１２が負圧になり、ホース１５,延長管１８,接続管２２,回転管７０および風路管６０を介して吸込室２５が負圧となる。この負圧により、吸込口本体２１の吸込開口２３から外気とともに塵埃が吸引されていき、この塵埃および外気が吸込室２５,風路管６０,回転管７０,接続管２２および延長管１８等を介して本体１０の集塵室１２へ吸引されていき、塵埃が集塵フィルタ１３に集塵されていく。
【００２６】
他方、吸込室２５の負圧により吸気孔５５,５５から外気が吸気されていき、この外気が回転清掃体２６の上側のブレード２６Ａに吹き付けていく。これにより、回転清掃体２６は矢印方向へ回転していき床面の塵埃を掻き上げていく。
【００２７】
吸気孔５５,５５は下方に向けられ、しかも、吸気孔５５,５５の上部であるバンパ５０の前端５１Ａが下ケース４０よりも前方に突出しているので、その前端５１Ａを壁に当接させることにより、吸気孔５５,５５が吸気する空気とともに壁際の床の塵埃を効率よく吸引していくことができる。また、バンパ５０の前端５１Ａが下ケース４０よりも前方に突出していることにより、壁やその他の家具等を傷つけてしまうことが防止される。
【００２８】
ところで、吸気孔５５,５５は下ケース３０とバンパ５０とによって形成したものであるから吸気孔５５,５５の前後方向の長さを十分にとることができ、その長さは上ケース４０や下ケース３０の肉厚よりも十分に長くなっているので、回転清掃体２６のブレード２６Ａに吹き付ける空気を十分に整流して方向付けをすることができる。このため、回転清掃体２６は効率よく回転していく。
【００２９】
また、吸気口５５,５５は下ケース３０とバンパ５０とで形成したものであるから、前後方向に十分な長さを有していても成形金型にスライド構成を設けずにその吸気口５５,５５を形成することができ、その成形金型の構造は簡単なものとなる。
【００３０】
上記実施形態では、吸気口５５,５５を下ケース３０とバンパ５０とで形成したが、下ケース３０と上ケース４０とで形成してもよい。また、吸気口５５,５５は下向きでなくてもよい。
【００３１】
【発明の効果】
以上説明してきたように、請求項１の発明によれば、底面に吸込開口を有する吸込室を形成した吸込口本体と、前記吸込室に回転自在に設けられた回転清掃体と、前記吸込口体に取り付けられたバンパとを備え、前記吸込口本体は下ケースとこの下ケースに取り付けられた上ケースとを有し、前記吸込口本体に設けられ且つ前後方向に延びた吸気孔から吸気される空気を受けて前記回転清掃体が回転する吸込口体において、前記吸気孔を下ケースと前記バンパとで形成するとともに、その吸気孔の上側が前記バンパで形成したものであるから、吸気孔の前後方向の長さを十分にとることができ、このため、回転清掃体に吹き付ける空気を十分に整流して方向付けをすることができる。このため、回転清掃体を効率よく回転させることができる。また、吸気孔を下ケースと上ケースとによって形成したものであるから、成形金型にスライド構成を設けずにその吸気孔を形成することができ、その成形金型の構造は簡単なものとなる。
【００３２】
請求項２の発明によれば、吸気孔は吸込口体の前側に形成され、前記吸気孔の上側のバンパを前方に突出させたものであるから、その上側を壁に当接させることにより、吸気孔が吸気する空気とともに壁際の床の塵埃を効率よく吸引していくことができる。また、吸気孔の上側がバンパであり、この上側が突出しているものであるから、壁やその他の家具等を傷つけてしまうことが防止される。
【００３３】
請求項３の発明によれば、請求項１および請求項２の効果を有する電気掃除機を提供することができる。
【図面の簡単な説明】
【図１】この発明に係る電気掃除機の実施の形態を示した斜視図である。
【図２】この発明に係る吸込口体を示した平面図である。
【図３】図２に示す吸込口体の正面図である。
【図４】図２の吸込口体の側面図である。
【図５】図４の吸込口体の構成を示した縦断面図である。
【図６】吸込口体の下ケースを示した平面図である。
【図７】接続管を起立させた状態を示した断面図である。
【図８】接続管を寝かした状態を示した断面図である。
【図９】従来の吸込口体を示した平面図である。
【図１０】従来の吸込口体の構成を示した断面図である。
【符号の説明】
２０    吸込口体
２１    吸込口本体
２３    吸込開口
２５    吸込室
２６    回転清掃体
３０    下ケース
４０    上ケース
５０    バンパ（上ケース）
５５    吸気口
【図１】
0003701528.tif 000002
【図２】
0003701528.tif 000003
【図３】
0003701528.tif 000004
【図４】
0003701528.tif 000005
【図５】
0003701528.tif 000006
【図６】
0003701528.tif 000007
【図７】
0003701528.tif 000008
【図８】
0003701528.tif 000009
【図９】
0003701528.tif 000010
【図１０】
0003701528.tif 000011